(57)【要約】      （修正有）【課題】従来の電気スタンドとＬＥＤスタンドを改良する。【解決手段】発光ダイオード（ＬＥＤ）スタンド２，３，４，５の先端部が竹のふくらみをイメージして広げ、更に収納時でも発光のイメージを可能にしかつ指で摘みやすくして上部から段階的に低くなるように構成してＬＥＤを丸めて収納するストッパー付のＬＥＤ収納筒体を設け、該ＬＥＤ収納筒体の底面に反射板を付設しかつ収納筒体の収納が自在になるように発光ダイオードを収納し、更に先端部のＬＥＤスタンドを手の指で引き出しながら蛍光灯の照明を自在に調節可能な構成とした。【選択図】図１
2012169148.tif 000002
【特許請求の範囲】
【請求項１】
分子式ＣＨ2 ＝ＣＨ−ＣＨアセチレンと青酸との反応、又はプロピレンをアンモニアと空気で酸化させたアクリロニトリルを素材にした発光ダイオード（ＬＥＤ）を用いてなることを特徴とする発光ダイオードを素材にした蛍光灯。
【請求項２】
請求項１記載のＬＥＤを丸めて収納しかつ拡みして蛍光料の明かりを調節して成る請求項１記載の発光ダイオードを素材にした蛍光灯。
【請求項３】
請求項２記載の蛍光灯において、発光ダイオードの先端部が竹のふくらみをイメージして広げ、更に収納時でも発光のイメージを可能にしかつ指で摘みやすくして、上部から段階的に低くなるように構成して成る請求項１及び２記載の発光ダイオードを素材にした蛍光灯。
【請求項４】
請求項３記載の蛍光灯において、ＬＥＤを丸めて収納するストッパー付のＬＥＤ収納筒体を設け、該ＬＥＤ収納筒体の底面に反射板を付設しかつ収納筒体の収納が自在になるように発光ダイオード（ＬＥＤ）を収納し、更に先端部の発光ダイオードを手の指で引き出しながら、蛍光灯の照明を自在になるよう調節を可能にした請求項３記載の発光ダイオードを素材にした蛍光灯。
【請求項５】
請求項４記載の蛍光灯において、最先端部のＬＥＤ収納筒体内に数個のＬＥＤを配設しかつ最先端部のＬＥＤ収納筒体の反射板を介し、発光ダイオード（ＬＥＤ）を照射して成る請求項４記載の発光ダイオードを素材にした蛍光灯。
【請求項６】
請求項４記載の蛍光灯において、最底部のＬＥＤ収納筒体の周面縁部に数個のＬＥＤを配設して成る請求項４記載の発光ダイオードを素材にした蛍光灯。
【発明の詳細な説明】
【技術分野】
【０００１】
本発明は、蛍光灯に関するが詳しくは発光ダイオードを素材にした蛍光灯に関するものである。
【背景技術】
【０００２】
従来から多く使用されている蛍光灯としては、例えば特開２０１０‐５６０３９号の「照明装置」が一般的である。この照明装置は、いわゆるスタンド式の蛍光灯であり、導光通路を有するセードを比較的安価にかつ容易に製造することができる照明装置を提供するものもある。そして、その解決手段は光源としての蛍光灯と、この蛍光灯に被せられるセードとを有して構成された灯具が腕部の先端に設けられた照明装置としての電気スタンドにおいて、前記セードが間隔を空けて複数の翼状体を上下に重ねることで構成されると共に、前記各翼状体間を導光通路としたことにより、スリット状の前記各導光通路を有するセード、ひいては前記電気スタンドを容易にかつ比較的安価に製造することができるところにある。
【０００３】
また最近は、例えば特開２０１０‐１８２６６０号の「ＬＥＤスタンド」が開発されている。このＬＥＤスタンドは、目の疲労感を減らすと同時に洗練されたデザインを付与することができるＬＥＤスタンドを提供するものであり、その解決手段はＬＥＤスタンドを受台上にポールを介してランプユニットを設置して作業面を照明するＬＥＤスタンドである。
【０００４】
そこで前記従来の一般的な蛍光灯と最近開発されたＬＥＤの蛍光灯とを兼ね合わせるように改良した蛍光灯を開発したものである。
【特許文献１】特開２０１０‐５６０３９号公報  この公開されている蛍光灯は、図７に示すように従来から一般的に多用されているスタンド式の蛍光灯である。以下、その具体的なスタンド式蛍光灯につい説明する。
【０００５】
図中２１は照明装置としての電気スタンドであり、この電気スタンド２１は板状の基台部２６と腕部と、この腕部の先端に設けられた灯具２２とが構成されている。なお、前記腕部は、前記基台部２６の後部に立設された支柱部２５と、この支柱部２５の上部に設けられた屈曲部２４と、この屈曲部２４の先端に設けられた首部とで構成されている。そして、前記支柱部２５には後述する蛍光灯２３を点灯させるための点灯回路が収納されている。また前記支柱部２５には孔部が前後方向に貫通して形成されていると共に、この孔部の内周面には、前記点灯回路のためのスイッチである環状のタッチセンサ２７が設けられている。また、前記灯具２３は下方が開放したセードと、このセードに設けられたソケットに対して着脱自在に取り付けられる光源としての蛍光灯２２とで構成されている。また、前記セードは第一の翼状体と第二の翼状体と第三の翼状体とを上下に重ねてビス等で固定することに構成されている。
【０００６】
以上のように構成されている従来の蛍光灯は、光源としての蛍光灯１３と、この蛍光灯１３に被せられるセードとで構成された灯具１２が腕部の先端に設けられた照明装置としての電気スタンド１１において、前記セードが間隔を空けて複数の翼状体を上下に重ねることで構成されると共に、前記各翼状体間を導光通路としたことにより、スリット状の前記各導光通路を有するセード、ひいては前記電気スタンド１を容易にかつ比較的安価に製造することができる。
【特許文献２】特開２０１０‐１８２６６０号公報  次にＬＥＤスタンドであるが図８に示すように、このＬＥＤスタンド３１は基本的に受台３３とポール３４及びランプユニット３２から構成されている。すなわち、前記受台３上にポール５を介してランプユニット３７が設置されており、作業面を照らすように構成されている。具体的には、上部受カバーと下部受カバーから構成されており、互いに組み立てられかつ上部及び下部受カバーの内部には回路基板等と受けプレート等が内在されていると共に組み立てられている。前記上部受カバーの外部面には、一つの回路基板に対応してディスプレイウインドーが付着される。またポール５は、中空の四角管材で形成され内部を通してワイヤを設置するように形成されている。また、ランプユニット３２は上部ランプカバーと下部ランプカバーが具備されており、また上部ランプカバーは、その断面上に長手方向に沿って複数個の放熱口２５が形成され、後方中央に上部ティルティングブッシュ溝に対応して下部ティルティングブッシュ溝が形成される。
【０００７】
このような上部及び下部ランプカバー内部には、ヒートシンク、導光板、ＬＥＤ基板等が設置されるが、前記ヒートシンクはアルミニウム素材の四角放熱板であって、その両側端に沿って下向きに突出する装着端が延長形成される。そして前記導光板は、その上面に反射テープが付着された状態で前記ヒートシンクの下面に接触された状態で配置される。
【０００８】
このように、前記導光板上にシルクスクリーン印刷により白色塗料層をプリンティングすることにより、前記導光板上に反射テープを接着した場合、微細に発生しうる空気層により光が散乱し、その部分で光が暗く見える現象を防止することになる。
【０００９】
なお、ＬＥＤランプは制御部により点灯される色温度及び色相量の調整が可能な所定個数の赤色、緑色、青色、白色のＬＥＤ素子等から構成されている。すなわち、前記の各赤色、緑色、青色のＬＥＤ素子らは、制御部のモード制御により印加される信号に応じて点灯され色温度を調整することとなり、前記白色のＬＥＤ素子は前記制御部のモード制御により印加されるＰＷＭ制御信号に応じて点灯される照明の明るさを調整して、学習モード、感性モード、ムードモード等のモード別照明を具現することとなる。そして前記下部ランプカバーの貫通孔に対応して保護シートが設置され、前記導光板と前記保護シートとの間には、前記ＬＥＤランプの光を屈折分散させるためのプリズムシートが介在されている。
【発明の開示】
【発明が解決しようとする課題】
【００１０】
このように従来から一般的に使用されている蛍光灯に最近開発された発光ダイオードを素材にした蛍光灯との特徴を合わせ持ったＬＥＤ蛍光灯にしようとするところに本発明が解決しようとする課題を有する。
【課題を解決するための手段】
【００１１】
本発明は上記の如き課題を解決するために開発したものであって、分子式ＣＨ2 ＝ＣＨ−ＣＨアセチレンと青酸との反応、又はプロピレンをアンモニアと空気で酸化させたアクリロニトリルを素材にした発光ダイオード（ＬＥＤ）を用いてなることを特徴とする発光ダイオードを素材にした蛍光灯の提供にあり、また前記ＬＥＤを丸めて収納しかつ指で摘みやすくして蛍光料の明かりを調節して成る発光ダイオードを素材にした蛍光灯の提供にあり、また前記蛍光灯において発光ダイオードの先端部が竹のふくらみをイメージして広げ更に収納時でも発光のイメージを可能にしかつ指で摘みやすくして上部から段階的に低くなるように構成して成る発光ダイオードを素材にした蛍光灯の提供にあり、また蛍光灯においてＬＥＤを丸めて収納するストッパー付のＬＥＤ収納筒体を設け該ＬＥＤ収納筒体の底面に反射板を付設しかつ収納筒体の収納が自在になるように発光ダイオード（ＬＥＤ）を収納し、更に先端部の発光ダイオードを手の指で引き出しながら蛍光灯の照明を自在になるように調節を可能にして成る発光ダイオードを素材にした蛍光灯の提供にあり、また蛍光灯において最先端部のＬＥＤ収納筒体内に数個のＬＥＤを配設しかつ最先端部のＬＥＤ収納筒体の反射板を介し発光ダイオード（ＬＥＤ）を照射して成る発光ダイオードを素材にした蛍光灯の提供にあり、更に前記蛍光灯において最底部のＬＥＤ収納筒体の周面縁部に数個のＬＥＤを配設して成る発光ダイオードを素材にした蛍光灯の提供にある。
【発明の効果】
【００１２】
本発明は、分子式ＣＨ2 ＝ＣＨ−ＣＨアセチレンと青酸との反応、又はプロピレンをアンモニアと空気で酸化させたアクリロニトリルを素材にした発光ダイオード（ＬＥＤ）を用いてなることを特徴とする発光ダイオードを素材にした蛍光灯であり、また前記またＬＥＤを丸めて収納しかつ指で摘みやすくして蛍光料の明かりを調節して成る発光ダイオードを素材にした蛍光灯であり、また前記蛍光灯において発光ダイオードの先端部が竹のふくらみをイメージして広げ更に収納時でも発光のイメージを可能にしかつ指で摘みやすくして上部から段階的に低くして成る発光ダイオードを素材にした蛍光灯であり、また前記蛍光灯においてＬＥＤを丸めて収納するストッパー付のＬＥＤ収納筒体を設け、該ＬＥＤ収納筒体の底面に反射板を付設しかつ収納筒体の収納が自在になるように発光ダイオード（ＬＥＤ）を収納し、更に先端部の発光ダイオードを手の指で引き出しながら、蛍光灯の照明を自在に調節可能にして成る発光ダイオードを素材にした蛍光灯であり、また前記蛍光灯において最先端部のＬＥＤ収納筒体内に数個のＬＥＤを配設しかつ最先端部のＬＥＤ収納筒体の反射板を介し発光ダイオード（ＬＥＤ）を照射して成る発光ダイオードを素材にした蛍光灯であり、更に前記蛍光灯において最底部のＬＥＤ収納筒体の周面縁部に数個のＬＥＤを配設して成る発光ダイオードを素材にした蛍光灯の提供にある。
【発明を実施するための最良の形態】
【００１３】
本発明の最良な実施形態は、分子式ＣＨ2 ＝ＣＨ−ＣＨアセチレンと青酸との反応、又はプロピレンをアンモニアと空気で酸化させたアクリロニトリルを素材にした発光ダイオード（ＬＥＤ）を用いてなり、また前記ＬＥＤを丸めて収納しかつ指で摘みやすくして蛍光料の明かりを調節して成る発光ダイオードを素材にした蛍光灯であるから、従来の蛍光灯よりも優れた発光ダイオード（ＬＥＤ）の蛍光灯にすることができる。
【００１４】
また本発明は、発光ダイオードの先端部が竹のふくらみをイメージして広げ更に収納時でも発光のイメージを可能にしかつ指で摘みやすくして上部から段階的に低くなるように構成して成り、またＬＥＤを丸めて収納するストッパー付のＬＥＤ収納筒体を設け該ＬＥＤ収納筒体の底面に反射板を付設しかつ収納筒体の収納が自在になるように発光ダイオード（ＬＥＤ）を収納し更に先端部の発光ダイオードを手の指で引き出しながら、蛍光灯の照明を自在に調節可能にして成る発光ダイオードを素材にした蛍光灯であるから、従来のスタンド式のＬＥＤスタンドよりも優れたスタンドにすることができる。
【００１５】
更に本発明は、最先端部のＬＥＤ収納筒体内に数個のＬＥＤを配設しかつ最先端部のＬＥＤ収納筒体の反射板を介し発光ダイオード（ＬＥＤ）を照射して成り、かつ最底部のＬＥＤ収納筒体の周面縁部に数個のＬＥＤを配設して成る発光ダイオードを素材にした蛍光灯であるから、従来のＬＥＤスタンドでは得られない優れたスタンドにすることができる。
【実施例】
【００１６】
本発明は、従来公知の「ＬＥＤスタンド」（特開２０１０‐１８２６６０号）の改良発明であるから、前述の特許文献２の実施例を参考にしてその改良部分についてのみ説明することにする。
【００１７】
図１から図３は、本発明の電気スタンドを示した斜視図であり、従来の電気スタンド２１を改良したものである。この電気スタンド２１に使用する電気スタンド２１はＬＥＤ（２）・ＬＥＤ（３）・ＬＥＤ（４）・ＬＥＤ（５）の三段階に分かれており、それぞれ左右に振動回在にスライスできるように構成されている。従って、ＬＥＤ（２）はＬＥＤ（３）に、ＬＥＤ（３）はＬＥＤ（４）に、ＬＥＤ（４）はＬＥＤ（５）に収納されるので、ＬＥＤ（２）〜（５）からなる発光ダイオードは、アクリロニトリルの合成樹脂を素材に成形されているので、従来の蛍光ランプより他種類の色彩で発光させることができる。ちなみに、分子式はＣＨ2 ＝ＣＨ−ＣＮのアセチレンと青酸との反応やプロピレンをアンモニアと空気で酸化させて製造されているからである。
【００１８】
このように成形された発光ダイオード（ＬＥＤ）のコンセプトとしては、次のような特徴を有する。
ア、ＬＥＤを丸めて収納されているので、最先端のＬＥＤ（２）を手で摘みだせば、明かりを自在に調節することができる。
イ、またＬＥＤ（２）の先端部が竹のふくらみをイメージして広げることができるので、収納時でもＬＥＤをイメージすることが可能となる。
ウ、また先端部のＬＥＤ（２）を手で摘みやすいように構成されているので、最先端のＬＥＤ（２）から段々に照明を低くすることができる。
【００１９】
なお、日中６はＬＥＤ（５）を底部７を介して連結されている支柱でなり、８は支柱６の基台９に取り付けてある光量調節８であり、１０は電源のスイッチである。
【００２０】
次に図２から図４によってＬＥＤ（２）から（５）の構成と使用方法について説明すれば、本図では発光ダイオード（ＬＥＤ）ＡがＬＥＤ（２）の軸部の保持材１１に必要応じて数個配設されている。この発光ダイオードＡ付の保持材１１は各ストッパー１２を介してＬＥＤ（５）の底部からフードＢを介して電源に接続されている。すなわち、最先端のＬＥＤ（２）に保持材を介して発光ダイオード（ＬＥＤ）を内設することによって、ストッパー１２を介してＬＥＤ（２）から順次ＬＥＤ（３）から（５）と発光ダイオード（ＬＥＤ）が収納されることになる。
【００２１】
なお、図５と図６は他の実施例を示したものであり、最下段のＬＥＤ（５）の反射本体を内設して円形状の保持材１４に発光ダイオードを配設して固定材で固定することによって、各ＬＥＤ（４）から（２）に発光ダイオードを配設しなくても最上段まで発光させることが可能となる。また各ＬＥＤ（５）から（２）の内周面に発光ダイオード（ＬＥＤ）を配設すれば、各ＬＥＤ（２）（３）（４）（５）ごとに発光させることも可能となる。
【図面の簡単な説明】
【００２２】
【図１】本発明の発光ダイオード（ＬＥＤ）スタンドを示した斜視図。
【図２】図１のＬＥＤスタンドを示した断面図。
【図３】図２のＬＥＤスタンドを示した拡大断面図。
【図４】本発明の使用状態を示した断面図。
【図５】図４の要部を示した一部拡大断面図。
【図６】図４の要部を示した一部拡大断面図。
【図７】従来の電気スタンドを示した斜視図。
【図８】従来のＬＥＤスタンドを示した斜視図。
【符号の説明】
【００２３】
１  発光ダイオード（ＬＥＤ）スタンド    ２、３、４、５  ＬＥＤスタンド
６  支柱                                ７  屈曲部
８  光量調節                            ９  基台
１０  スイッチ                          １１  保持材
１２  ストッパー                        １３  固定材
１４  保持材                            ２１  電気スタンド
２２  灯具                              ２３  蛍光灯
２４  屈曲部                            ２５  支柱部
２６  基台部                            ３１  ＬＥＤスタンド
３３  基台                              ３４  ポール
Ａ  発光ダイオード（ＬＥＤ）            Ｂ  フード
Ｃ  指                                  Ｓ  反射板
【図１】
2012169148.tif 000003
【図２】
2012169148.tif 000004
【図３】
2012169148.tif 000005
【図４】
2012169148.tif 000006
【図５】
2012169148.tif 000007
【図６】
2012169148.tif 000008
【図７】
2012169148.tif 000009
【図８】
2012169148.tif 000010